(57)【要約】【課題】半導体装置製造工程において光学系の補正にかかる時間を大幅に短縮することができるレチクル、露光装置検査システム、露光装置検査方法及びレチクルの製造方法を提供する。【解決手段】マスク基板１、マスク基板１上に配置された遮光膜１７、遮光膜１７に設けられた検査パターン用開口５６ａ，  ５６ｂ，  ５６ｃ及びデバイスパターン用開口５７、検査パターン用開口５６ａ，  ５６ｂ，  ５６ｃで表出するマスク基板１上にそれぞれ設けられた非対称回折格子２２２ａ，  ２２２ｂ，  ２２２ｃそれぞれを備える検査パターン２０ａ，  ２０ｂ，  ２０ｃ、検査パターン用開口５６ａ，  ５６ｂ，  ５６ｃで表出するマスク基板１上に検査パターン２０ａ，  ２０ｂ，  ２０ｃそれぞれに隣接して設けられたアライメントマーク２６ａ，  ２６ｂ，  ２６ｃ、デバイスパターン用開口５７で表出するマスク基板１上に設けられたデバイスパターン１５ａ，  １５ｂ，  １５ｃを備える。【選択図】    図２
2005037598.tif 000002
【特許請求の範囲】
【請求項１】
マスク基板と、
前記マスク基板上に設けられた、回折効率が異なるプラス一次回折光とマイナス一次回折光を生じさせる非対称回折格子を備える検査パターンと、
前記検査パターンに隣接して前記マスク基板上に設けられたデバイスパターン
とを備えることを特徴とするレチクル。
【請求項２】
前記非対称回折格子が、
前記マスク基板上に配置された複数の遮光帯と、
前記複数の遮光帯の一方の側にそれぞれ隣接して前記マスク基板に設けられた、前記マスク基板の表面に対して透過光の位相差が０度より大かつ１８０度未満の値の整数倍となる複数の非対称回折部
とを備えることを特徴とする請求項１記載のレチクル。
【請求項３】
前記非対称回折格子が、
前記マスク基板上に配置された複数の遮光帯と、
前記複数の遮光帯の一方の側にそれぞれ隣接して前記マスク基板に設けられた階段状の底部を備える複数の階段状回折部
とを備えることを特徴とする請求項１記載のレチクル。
【請求項４】
前記階段状の底部が、
前記マスク基板の表面に対して透過光の位相差が１８０度の整数倍となる位置に配置された複数の等位相光透過面と、
前記マスク基板の前記表面に対して透過光の位相差が０度より大かつ１８０度未満の値の整数倍となる位置に配置された複数の位相差光透過面
とを備えることを特徴とする請求項３記載のレチクル。
【請求項５】
前記非対称回折格子が、
前記マスク基板に設けられた前記マスク基板の表面に対して透過光の位相差が０度より大かつ１８０度未満の値の整数倍となる複数の非対称回折部と、
前記マスク基板上に、前記複数の非対称回折部を挟むように配置された複数の遮光帯
とを備えることを特徴とする請求項１記載のレチクル。
【請求項６】
前記デバイスパターンが、
前記マスク基板に設けられた前記マスク基板の前記表面に対して透過光の位相差が１８０度の整数倍となる複数の回折部と、
前記マスク基板上に、前記複数の回折部を挟むように配置された複数の遮光マスク
とを備えることを特徴とする請求項１乃至５のいずれか１項に記載のレチクル。
【請求項７】
回折効率の異なるプラス一次回折光とマイナス一次回折光の投影像の画像情報を取得する投影像情報抽出手段と、
前記投影像情報抽出手段で取得された前記画像情報を保存する光学系情報記憶装置と、
前記光学系情報記憶装置に保存された前記画像情報を用いて前記投影像を投影する露光装置の光学系を補正するための補正情報を算出する光学系補正情報提供手段
とを備えることを特徴とする露光装置検査システム。
【請求項８】
前記投影像情報抽出手段は、前記画像情報から前記投影像のウェハ表面の位置及び前記ウェハの前記光学系の光軸方向配置位置の線形関係を示す近似関数式を算出する近似関数式算出部を備えることを特徴とする請求項７記載の露光装置検査システム。
【請求項９】
前記光学系情報記憶装置は、前記近似関数式算出部で算出された前記近似関数式を保存する近似関数式記憶部を備えることを特徴とする請求項８記載の露光装置検査システム。
【請求項１０】
前記光学系補正情報提供手段は、前記近似関数式から前記光学系の収差を算出する収差算出部を備えることを特徴とする請求項８又は９記載の露光装置検査システム。
【請求項１１】
前記光学系補正情報提供手段は、前記投影像の実測位置と前記近似関数式から前記ウェハの算出配置位置を算出する焦点ズレ算出部を備えることを特徴とする請求項８乃至１０のいずれか１項に記載の露光装置検査システム。
【請求項１２】
前記光学系情報記憶装置は、前記光学系の焦点位置を記憶する焦点位置記憶部を更に備えることを特徴とする請求項１１記載の露光装置検査システム。
【請求項１３】
前記光学系補正情報提供手段は、前記算出配置位置と前記焦点位置とを比較する焦点ズレ判断部を更に備えることを特徴とする請求項１２記載の露光装置検査システム。
【請求項１４】
前記投影像情報抽出手段は、前記画像情報から前記投影像の最適露光量条件での線幅最適値を抽出する露光量情報抽出部を備えることを特徴とする請求項７、１０、１１、１３のいずれか１項に記載の露光装置検査システム。
【請求項１５】
前記光学系情報記憶装置は、前記線幅最適値を保存する線幅記憶部を備えることを特徴とする請求項１４記載の露光装置検査システム。
【請求項１６】
前記光学系補正情報提供手段は、前記線幅最適値と前記投影像の線幅実測値とを比較する線幅変化判断部を備えることを特徴とする請求項１５記載の露光装置検査システム。
【請求項１７】
回折効率が異なるプラス一次回折光とマイナス一次回折光による投影像の画像情報を取得するステップと、
前記画像情報を用いて前記投影像を投影する露光装置の光学系を補正するための補正情報を提供するステップ
とを含むことを特徴とする露光装置検査方法。
【請求項１８】
前記画像情報から前記投影像のウェハ表面の位置及び前記ウェハの前記光学系の光軸方向配置位置の線形関係を表す近似関数式を算出するステップを更に含むことを特徴とする請求項１７記載の露光装置検査方法。
【請求項１９】
前記補正情報を提供するステップは、前記近似関数式から前記光学系の収差を算出する手順を含むことを特徴とする請求項１８記載の露光装置検査方法。
【請求項２０】
前記補正情報を提供するステップは、前記投影像の実測位置と前記近似関数式から前記ウェハの算出配置位置を算出する手順を含むことを特徴とする請求項１８又は１９記載の露光装置検査方法。
【請求項２１】
前記補正情報を提供するステップは、前記算出配置位置と前記光学系の焦点位置とを比較し、焦点ズレを判断する手順を更に含むことを特徴とする請求項２０記載の露光装置検査方法。
【請求項２２】
前記画像情報から前記投影像の最適露光量条件での線幅最適値を抽出するステップを更に含むことを特徴とする請求項１７、１９、２０、２１のいずれか１項に記載の露光装置検査方法。
【請求項２３】
前記補正情報を提供するステップは、前記線幅最適値と前記投影像の線幅実測値とを比較し、線幅変化を判断する手順を含むことを特徴とする請求項２２記載の露光装置検査方法。
【請求項２４】
マスク基板表面に遮光膜を形成する工程と、
第１のレジスト膜を前記遮光膜表面に形成し、前記第１のレジスト膜をパターニングする工程と、
パターニングされた前記第１のレジスト膜をマスクにして前記遮光膜を選択的にエッチングする工程と、
前記第１のレジスト膜を除去し、第２のレジスト膜を前記マスク基板上に形成し、前記第２のレジスト膜をパターニングする工程と、
パターニングされた前記第２のレジスト膜をマスクにして表出する前記マスク基板を選択的にエッチングし、回折効率の異なるプラス一次回折光とマイナス一次回折光を生じさせる非対称回折部を形成する工程と、
前記第２のレジスト膜を除去し、第３のレジスト膜を前記マスク基板上に形成し、前記第３のレジスト膜をパターニングする工程と、
パターニングされた前記第３のレジスト膜をマスクにして表出する前記マスク基板を選択的にエッチングし、回折効率が等しいプラス一次回折光とマイナス一次回折光を生じさせる回折部を形成する工程
とを含むことを特徴とするレチクルの製造方法。
【請求項２５】
前記回折部を形成する工程が、前期非対称回折部の内部から前記マスク基板を選択的にエッチングし、前記回折部を形成することを特徴とする請求項２４記載のレチクルの製造方法。
【発明の詳細な説明】
【０００１】
【発明の属する技術分野】
本発明は半導体露光装置で使用されるレチクル、露光装置検査システム、露光装置検査方法及びレチクルの製造方法に係り、特に露光装置の光学補正技術とレチクルの製造方法に関する。
【０００２】
【従来の技術】
半導体集積回路パターン（デバイスパターン）を投影露光装置で製造用レチクルからウェハ等の被露光体上にレーザ露光撮影するには、投影露光装置の光学系の焦点位置にウェハが正しく配置されないとコントラストが不良となり、デバイスパターンを正確にウェハ上に露光することができない。このため、光学系の焦点位置にウェハを正しく配置する技術が開発されてきた。例えば、透過光に０度より大かつ１８０度より小の位相差を生じさせる非対称回折部を備える非対称回折格子を利用する技術がある。このような非対称回折格子は、その透過光にプラス側あるいはマイナス側の一方に強度が偏った回折光を生じさせる性質を有する。この非対称回折格子を備える検査用レチクルを投影露光装置に配置しウェハにレーザ露光すると、ウェハの光軸方向への移動に伴って、ウェハ上の非対称回折格子の投影像の位置が光軸方向と垂直方向に移動する。このウェハの光軸方向への移動量と投影像の位置の移動量は線形関係にある。よって一度この線形関係を取得すれば、後はウェハ上の非対称回折格子の投影像の実測位置を計測すれば、ウェハが焦点位置からどれだけ光軸方向に外れて配置されているかを算出することができた。（例えば、特許文献１参照）。
【０００３】
【特許文献１】
特開２００２−  ５５４３５号公報（第５−６頁、第５図）
【０００４】
【発明が解決しようとする課題】
しかし上記方法では、検査用レチクルを使用した焦点位置検査用の露光と、製造用レチクルを使用した半導体集積回路製造用の露光を別々に行う必要があった。そのため、検査用レチクルと製造用レチクルの両方を準備することに伴うコストの上昇、あるいは検査用レチクルから製造用レチクルに交換する際に起こりうる製造用レチクルの配置位置のズレや交換に伴う作業時間の長期化等が半導体集積回路製造工程において問題となっていた。
【０００５】
本発明は上記問題点を鑑み、半導体装置製造工程において検査用レチクルと製造用レチクルの両方を準備する必要がなく、半導体集積回路製造用の露光と同時に精度よく露光装置の光学系を検査することを可能とし、光学系補正に要する時間を大幅に短縮することができるレチクル、露光装置検査システム、露光装置検査方法及びレチクルの製造方法を提供することを目的とする。
【０００６】
【課題を解決するための手段】
上記目的を達成するために本発明の第１の特徴は、マスク基板と、マスク基板上に設けられた、回折効率が異なるプラス一次回折光とマイナス一次回折光を生じさせる非対称回折格子を備える検査パターンと、検査パターンに隣接してマスク基板上に設けられたデバイスパターンとを備えるレチクルであることを要旨とする。
【０００７】
本発明の第２の特徴は、回折効率の異なるプラス一次回折光とマイナス一次回折光の投影像の画像情報を取得する投影像情報抽出手段と、投影像情報抽出手段で取得された画像情報を保存する光学系情報記憶装置と、光学系情報記憶装置に保存された画像情報を用いて投影像を投影する露光装置の光学系を補正するための補正情報を算出する光学系補正情報提供手段とを備える露光装置検査システムであることを要旨とする。
【０００８】
本発明の第３の特徴は、回折効率が異なるプラス一次回折光とマイナス一次回折光による投影像の画像情報を取得するステップと、画像情報を用いて投影像を投影する露光装置の光学系を補正するための補正情報を提供するステップとを含む露光装置検査方法であることを要旨とする。
【０００９】
本発明の第４の特徴は、マスク基板表面に遮光膜を形成する工程と、第１のレジスト膜を遮光膜表面に形成し、第１のレジスト膜をパターニングする工程と、パターニングされた第１のレジスト膜をマスクにして遮光膜を選択的にエッチングする工程と、第１のレジスト膜を除去し、第２のレジスト膜をマスク基板上に形成し、第２のレジスト膜をパターニングする工程と、パターニングされた第２のレジスト膜をマスクにして表出するマスク基板を選択的にエッチングし、回折効率の異なるプラス一次回折光とマイナス一次回折光を生じさせる非対称回折部を形成する工程と、第２のレジスト膜を除去し、第３のレジスト膜をマスク基板上に形成し、第３のレジスト膜をパターニングする工程と、パターニングされた第３のレジスト膜をマスクにして表出するマスク基板を選択的にエッチングし、回折効率が等しいプラス一次回折光とマイナス一次回折光を生じさせる回折部を形成する工程とを含むレチクルの製造方法であることを要旨とする。
【００１０】
【発明の実施の形態】
次に図面を参照して、本発明の実施の形態を説明する。以下の図面の記載において、同一又は類似の部分には同一又は類似の符号を付している。なお以下の示す実施の形態は、この発明の技術的思想を具体化するための装置や方法を例示するものであって、この発明の技術的思想は構成部品の配置等を下記のものに特定するものではない。この発明の技術的思想は、特許請求の範囲において、種々の変更を加えることができる。
【００１１】
（実施の形態）
本発明の実施の形態に係る縮小投影露光装置は図１に示すように光学系１４０とウェハステージ３２を備える。光学系１４０は照明光源４１、照明光源４１の下部に配置された集光レンズ４３、集光レンズ４３の下部に配置された投影光学系４２を備える。集光レンズ４３と投影光学系４２の間には照明光源４１より照射され集光レンズ４３で集光された光を受けるデバイスパターン１５、アライメントマーク２６ａ，  ２６ｂ，  ２６ｃ及び検査パターン２０ａ，  ２０ｂ，  ２０ｃを備えるレチクル５が配置される。ウェハステージ３２上にはウェハ３１が配置される。デバイスパターン１５及び検査パターン２０ａ，  ２０ｂ，  ２０ｃそれぞれで生じた回折光は投影光学系４２で集光されウェハ３１上に結像する。
【００１２】
レチクル５は、図２の拡大平面図に示すように、石英ガラス等からなる透明なマスク基板１、マスク基板１上に配置されたクロム（Ｃｒ）等からなる遮光膜１７、遮光膜１７に設けられた検査パターン用開口５６ａ，  ５６ｂ，  ５６ｃ、検査パターン用開口５６ａ，  ５６ｂ，  ５６ｃで表出するマスク基板１上にそれぞれ設けられた非対称回折格子２２２ａ，  ２２２ｂ，  ２２２ｃそれぞれを備える検査パターン２０ａ，  ２０ｂ，  ２０ｃ、検査パターン２０ａ，  ２０ｂ，  ２０ｃそれぞれに隣接してマスク基板１上に設けられたアライメントマーク２６ａ，  ２６ｂ，  ２６ｃ、遮光膜１７に設けられたデバイスパターン用開口５７、デバイスパターン用開口５７で表出するマスク基板１上にそれぞれ設けられたデバイスパターン１５ａ，  １５ｂ，  １５ｃを備える。なおアライメントマーク２６ａ〜２６ｃそれぞれは図１に示したウェハ３１の位置合わせに用いられるものである。
【００１３】
図２に示した検査パターン２０ａの拡大平面図の一例が図３である。検査パターン２０ａは、マスク基板１の表面にそれぞれが正方形の４辺を形成するように配置された、それぞれ回折効率が異なるプラス一次回折光とマイナス一次回折光を生じさせる非対称回折格子２２ａ，  ２２ｂ，  ２２ｃ，  ２２ｄ、非対称回折格子２２ａ，  ２２ｂ，  ２２ｃ，  ２２ｄそれぞれと平行に配置された孤立遮光パターン６１ａ，  ６１ｂ，  ６１ｃ，  ６１ｄを備える。非対称回折格子２２ａ，  ２２ｂ，  ２２ｃ，  ２２ｄそれぞれは一組となって図２に示した非対称回折格子２２２ａを構成している。なお、図２に示した他の検査パターン２０ｂ，  ２０ｃそれぞれの拡大平面図も図３に示した検査パターン２０ａと同様の構成である。
【００１４】
さらに図３に示した非対称回折格子２２ａの一部分を拡大した平面図が図４であり、図４に示したＡ−Ａ方向から見た非対称回折格子２２ａの断面図が図５である。図４及び図５に示すように、検査パターン２０ａの非対称回折格子２２ａは、マスク基板１の表面に配置されたＣｒ等からなる遮光帯７０ａ、遮光帯７０ａの一方の側に隣接してマスク基板１に設けられた非対称回折部１３ａを備える。遮光帯７０ａ、非対称回折部１３ａの一組は非対称回折格子２２ａの繰り返しパターンの最小単位をなし、さらにこれらと同様の構造である遮光帯７０ｂ，  ７０ｃ，  ・・・・・、非対称回折部１３ｂ，  １３ｃ，  ・・・・・それぞれがマスク基板１上で繰り返しパターンで設けられている。なお図３に示した他の非対称回折格子２２ｂ〜２２ｄそれぞれも図４及び図５に示した非対称回折格子２２ａと同様の構造である。
【００１５】
ここで、それぞれ隣接する遮光帯７０ａ、非対称回折部１３ａそれぞれの幅は２：１の比率を有し、隣接する遮光帯７０ｂ及び非対称回折部１３ｂを備える繰り返しパターンとは非対称回折部１３ａと同じ幅の間隔をおいて設けられるのが望ましい。例えば図１に示した縮小投影露光装置において照明光源４１から波長１９３ｎｍのアルゴンフッ素（ＡｒＦ）エキシマレーザでレチクル５を照射する場合には、遮光帯７０ａの幅を０．２μｍ、非対称回折部１３ａの幅及び遮光帯７０ａと非対称回折部１３ｂの間隔を０．１μｍとすればよい。他の遮光帯７０ｂ，  ７０ｃ，  ・・・・・、非対称回折部１３ｂ，  １３ｃ，  ・・・・・それぞれの幅の比率と繰り返しパターンが設けられる間隔も同様である。また非対称回折部１３ａ，  １３ｂ，  １３ｃ，  ・・・・・それぞれはマスク基板１の表面近傍内部に設けられた溝であり、マスク基板１表面に対し露光用レーザの透過光の位相差が９０度の整数倍となる深さまで設けられている。例えばマスク基板１が屈折率１．５６の石英ガラスからなり、９０度の位相差を生じさせるためには、図１に示した照明光源４１からＡｒＦエキシマレーザで露光する場合、非対称回折部１３ａ，  １３ｂ，  １３ｃ，  ・・・・・それぞれの深さは８６．２ｎｍである。
【００１６】
次に図２に示したデバイスパターン１５ａの一部の拡大断面図の一例を図６に示す。図６に示すようにデバイスパターン１５ａは、マスク基板１に設けられた複数の回折部２３ａ，  ２３ｂ，  ２３ｃ，  ・・・・・、マスク基板１上部に回折部２３ａ，  ２３ｂ，  ２３ｃ，  ・・・・・を挟むように配置された複数の遮光マスク７ａ，  ７ｂ，  ７ｃ，  ７ｄ，  ７ｅ，  ７ｆ，  ・・・・・を備える。なお図２に示した他のデバイスパターン１５ｂ，  １５ｃそれぞれの拡大平面図は図６と同様であるので図面は省略する。
【００１７】
ここで回折部２３ａ，  ２３ｂ，  ２３ｃ，  ・・・・・それぞれはマスク基板１表面近傍内部に設けられた溝であり、マスク基板１表面に対し露光用レーザの透過光の位相差が１８０度の整数倍となる深さまで設けられている。例えばマスク基板１が屈折率１．５６の石英ガラスからなり、１８０度の位相差を生じさせるためには、図１に示した照明光源４１からＡｒＦエキシマレーザで露光する場合、回折部２３ａ，  ２３ｂ，  ２３ｃ，  ・・・・・それぞれの深さは１７２．３ｎｍである。
【００１８】
以上、図４及び図５に示した非対称回折格子２２ａ〜２２ｄそれぞれを備える検査パターン２０ａ〜２０ｃそれぞれと図６に示したデバイスパターン１５ａ〜１５ｃそれぞれの両方が図２に示すように同一のマスク基板１上に設けられているところが、本発明の実施の形態に係るレチクル５の特徴の一部をなしている。このようなレチクル５を非対称回折格子２２ａ〜２２ｄそれぞれが設けられた面を下側に向けて配置し、上部からＡｒＦエキシマレーザを露光した場合の瞳面での光強度分布を計算した結果を図７に示す。図７のように横軸に瞳面内の位置を、縦軸に光強度をとって光強度をプロットすると、瞳位置の０次光に対して一次回折光はプラス側の一方にのみ発生していることが分かる。なお図５に示した非対称回折部１３ａ，  １３ｂ，  １３ｃ，  ・・・・・それぞれを、マスク基板１表面に対し露光用レーザの透過光に０度より大かつ１８０度未満の値の整数倍の位相差を生じさせる深さまで設ければ、回折効率が異なるプラス一次回折光とマイナス一次回折光を生じさせることができるが、位相差９０度となる深さまで設けると最もプラス側あるいはマイナス側に回折効率を偏らせることができる。また遮光帯７０ａ，  ７０ｂ，  ７０ｃ，  ・・・・・、非対称回折部１３ａ，  １３ｂ，  １３ｃ，  ・・・・・それぞれを２：１の比率の幅で設け、繰り返しパターンを非対称回折部１３ａ，  １３ｂ，  １３ｃ，  ・・・・・それぞれと同じ幅の間隔で設けるのも回折効率をプラス側あるいはマイナス側の一方に偏らせるのに効果がある。
【００１９】
このような非対称回折格子２２ａ〜２２ｄそれぞれを備えるレチクル５を図１に示す縮小投影露光装置に配置し露光すると、非対称回折格子２２ａ〜２２ｄそれぞれのウェハ３１上の投影像は、ウェハステージ３２を光軸方向に移動させると光軸に対して垂直方向に移動する。しかし図３に示した孤立遮光パターン６１ａ，  ６１ｂ，  ６１ｃ，  ６１ｄそれぞれの投影像は、ウェハステージ３２を光軸方向に移動させても、光軸に対して垂直方向に移動することはない。
【００２０】
このような現象は理論的にも証明が可能である。例えばプラス側のみに一次回折光を生じさせる、格子の間隔がＰの非対称回折格子に垂直方向から波長λのコヒーレント光を露光した場合、ウェハが配置される水平面をｘ−ｙ平面とし、これと垂直な光軸方向をｚ軸で表すと、ウェハ上での投影光の振幅Ｅは下記の（１）式で表される。
【００２１】
2005037598.tif 000003
但し、ｋ  ：  （１  −  ［１  −  （λ／  Ｐ）２］１／２）  ／  λ
Ｗ１  ：  収差による回折位相誤差
ｃｉ  ：  ｉ次回折のフーリエ強度
ウェハ上での投影光の光強度Ｉは上記Ｅの絶対値の２乗で表され、下記（２）式で表される。
【００２２】
2005037598.tif 000004
ここで、明線を得るには（２）式中のｃｏｓ［２π（ｘ  ／  Ｐ  ＋  ｋ  ｚ  −  Ｗ１）］が１にならなくてはならないので、
ｘ  ／  Ｐ  ＋  ｋ  ｚ  −  Ｗ１  ＝  ０・・・・・（３）
ここで（３）式をｚで微分すると、下記（４）式が得られる。
【００２３】
ｄｘ／ｄｚ  ＝  −ｋＰ・・・・・（４）
以上のことから、非対称回折格子の投影像の移動量ｄｘとウェハの光軸方向の移動量ｄｚは比例関係にあることがわかる。
【００２４】
そこで図１に示す縮小投影露光装置でウェハステージ３２を光軸方向に逐次移動させ、複数の光軸方向配置位置でシリコン基板上にレジストを塗布した複数のウェハ３１を露光した後、ウェハ３１を現像液でウェットエッチングして非対称回折格子２２ａ及び孤立遮光パターン６１ａそれぞれの投影像の位置の相対距離の変化を電子顕微鏡（ＳＥＭ）や原子間力顕微鏡（ＡＦＭ）等で観察した。その結果図８に示すように横軸にウェハ３１表面の光軸方向配置位置、縦軸に投影像の位置の相対距離をとってプロットすると、ウェハ３１を１００ｎｍ移動させると相対距離は約２５ｎｍ変化する関係にあることが分かる。他の非対称回折格子２２ｂ及び孤立遮光パターン６１ｂ、非対称回折格子２２ｃ及び孤立遮光パターン６１ｃ、非対称回折格子２２ｄ及び孤立遮光パターン６１ｄの投影像の位置の相対距離についても同様である。
【００２５】
よって、図８に示したようにウェハ３１表面の光軸方向配置位置と投影像の位置の相対距離の関係をプロットし、最小自乗法等でウェハ３１表面の光軸方向配置位置及び投影像の位置の相対距離を変数とする一次関数式等の近似関数式を一度算出すれば、次回からは算出された近似関数式に投影像の位置の相対距離の実測値を代入することにより、ウェハ３１の光軸方向配置位置を算出することが可能となる。
【００２６】
また、図３に示した検査パターン２０ａを備えるレチクル５を図１に示す縮小投影露光装置に配置し露光した場合に、図３に示した互いに直交する向きに設けられた非対称回折格子２２ａと非対称回折格子２２ｂそれぞれの投影像の焦点位置の差は図１に示す縮小投影露光装置の光学系１４０の非点収差を意味する。よって、非対称回折格子２２ａ，  ２２ｂそれぞれについて投影像の位置とウェハの光軸方向配置位置の線形関係を示す近似関数式を算出すれば、それぞれの近似関数式の切片の差から非点収差を求めることも可能となる。他の互いに直交する非対称回折格子２２ｂと非対称回折格子２２ｃ、非対称回折格子２２ｃと非対称回折格子２２ｄ及び非対称回折格子２２ｄと非対称回折格子２２ａについても同様である。
【００２７】
次に図３に示す検査パターンの非対称回折格子２２ａ〜２２ｄ及び孤立遮光パターン６１ａ〜６１ｄそれぞれの投影像の位置の相対距離を取得して、図１に示す縮小投影露光装置の光学系１４０の収差や焦点ズレを算出する露光装置検査システムについて図９を用いて説明する。すなわち本発明の実施の形態に係る露光装置検査システムは、中央処理制御装置（ＣＰＵ）３００、光学系情報記憶装置３３５、入力装置３１２、出力装置３１３、プログラム記憶装置３３０及びデータ記憶装置３３１を備える。さらにＣＰＵ３００は投影像情報抽出手段３２５、光学系補正情報提供手段３１５を備える。
【００２８】
ここで投影像情報抽出手段３２５は近似関数式算出部３０１を備え、入力装置３１２から図３に示した非対称回折格子２２ａ及び孤立遮光パターン６１ａそれぞれの図１に示したウェハ３１上の投影像の画像情報をウェハ３１の光軸方向配置位置の情報と共に取得する。なお画像情報は複数の光軸方向配置位置で複数個取得する。図９に示す近似関数算出部３０１は取得した複数の画像情報から図８に示したような非対称回折格子２２ａ及び孤立遮光パターン６１ａそれぞれの投影像の位置の相対距離とウェハ３１表面の光軸方向配置位置の関係を示す情報を抽出し、投影像の位置の相対距離と光軸方向配置位置とを変数とする近似関数式を算出する。他の非対称回折格子２２ｂ〜２２ｄ及び孤立遮光パターン６１ｂ〜６１ｄそれぞれの投影像からも同様に近似関数式を算出する。
【００２９】
図９に示す光学系情報記憶装置３３５は近似関数式記憶部３１０、焦点位置記憶部３１１を備える。近似関数式記憶部３１０は近似関数式算出部３０１で算出された近似関数式を保存する。焦点位置記憶部３１１は図１に示す縮小投影露光装置の光学系１４０の焦点位置や焦点深度等を保存している。焦点位置及び焦点深度としては光学系１４０の設計から導かれる理論値を保存してもよいし、あらかじめ複数の光軸方向位置でウェハ３１にレチクル５のデバイスパターン１５を露光し、現像後の表面形状から許容されるウェハ３１の光軸方向配置位置の範囲を保存してもよい。
【００３０】
図９に示す光学系補正情報提供手段３１５は、収差算出部３２３、焦点ズレ算出部３０２、焦点ズレ判断部３０３を備える。収差算出部３２３は近似関数式記憶部３１０に保存されている複数の近似関数式を比較して図１に示す縮小投影露光装置の光学系１４０の収差を算出する。図９に示す焦点ズレ算出部３０２は、入力装置３１２から入力された図３に示した非対称回折格子２２ａ〜２２ｄ及び孤立遮光パターン６１ａ〜６１ｄそれぞれの図１に示したウェハ３１上の投影像の実測位置の相対距離を近似関数式記憶部３１０に保存されている近似関数式に代入し、ウェハ３１の算出配置位置を算出する。図９に示す焦点ズレ判断部３０３は焦点ズレ算出部３０２で算出されたウェハ３１の算出配置位置と焦点位置記憶部３１１に保存されていた焦点位置とを比較し、焦点ズレが許容範囲内であるか否かを判断し、その結果を出力装置３１３に出力する。
【００３１】
なお、入力装置３１２は、キーボード、マウス等が使用可能であり、出力装置３１３は液晶表示装置（ＬＣＤ）、発光ダイオード（ＬＥＤ）等によるモニタ画面等が使用可能である。プログラム記憶装置３３０は、近似関数式算出、焦点ズレ算出及びＣＰＵ３００に接続された装置間のデータ送受信の制御等をＣＰＵ３００に実行させるためのプログラムを保存している。データ記憶装置３３１は、ＣＰＵ３００の演算過程でのデータを一時的に保存する。
【００３２】
次に図２に示したレチクル５と図９に示した露光装置検査システムを用いて図１に示す縮小投影露光装置の光学系１４０に収差が発生していないか、あるいはウェハ３１が焦点位置に正しく配置されているか検査する露光装置検査方法について説明する。まず図１、図３、図９、図１０を用いて図１に示した縮小投影露光装置の光学系１４０の収差を算出する露光装置検査方法について説明する。
【００３３】
（ａ）図１０のステップＳ１０１で図１に示す縮小投影露光装置でレチクル５の検査パターン２０ａ〜２０ｃをウェハ３１に露光する。ウェハ３１は複数枚用意し、逐次ウェハステージ３２を移動させて複数の光軸方向配置位置で露光する。ウェハ３１を露光現像後、図３に示した非対称回折格子２２ａ〜２２ｄ及び孤立遮光パターン６１ａ〜６１ｄそれぞれのウェハ３１表面の投影像の画像情報をウェハ３１の光軸方向配置位置の情報と共に図９に示した入力装置３１２から投影像情報抽出手段３２５に入力する。
【００３４】
（ｂ）ステップＳ１５１で投影像情報抽出手段３２５の近似関数式算出部３０１は複数の画像情報から非対称回折格子２２ａ及び孤立遮光パターン６１ａそれぞれのウェハ３１表面の投影像の相対距離とウェハ３１の光軸方向配置位置の関係を抽出し、近似関数式を算出する。他の非対称回折格子２２ｂ〜２２ｄ及び孤立遮光パターン６１ｂ〜６１ｄそれぞれについても同様に近似関数式を算出する。
【００３５】
（ｃ）ステップ１０２で近似関数式記憶部３１０は近似関数式算出部３０１が算出した近似関数式を保存する。
【００３６】
（ｄ）ステップＳ１６１で光学系補正情報提供手段３１５の収差算出部３２３は近似関数式記憶部３１０に保存された複数の近似関数式を読み込み、これらを比較して光学系１４０の収差を算出する。
【００３７】
（ｅ）ステップＳ１０３で光学系補正情報提供手段３１５は算出された収差を出力装置３１３に伝達し、検査は終了する。
【００３８】
次に図１、図３、図９、図１１を用いて、図１に示した縮小投影露光装置の光学系１４０の焦点ズレを算出する露光装置検査方法について説明する。
【００３９】
（ａ）図１１のステップＳ１１０で検査対象となるレチクルについて近似関数式が既に算出され図９に示す近似関数式記憶部３１０に保存されているかどうか判断する。保存されていなければ、図１０の説明に記載した説明と同様にステップＳ１０１，  Ｓ１５１，  Ｓ１０２で近似関数式を算出し、これを近似関数式記憶部３１０に保存させ、ステップＳ１６２に進む。一方、既に近似関数式が近似関数式記憶部３１０に保存されているときは、直接ステップＳ１６２に進む。
【００４０】
（ｂ）図１１のステップＳ１６２で図９に示す近似関数式記憶部３１０に保存されていた近似関数式と入力装置３１２から入力される図３に示した非対称回折格子２２ａ〜２２ｄ及び孤立遮光パターン６１ａ〜６１ｄそれぞれの図１に示すウェハ３１表面の投影像の実測位置の相対距離の実測値が図９に示す焦点ズレ算出部３０２に格納される。焦点ズレ算出部３０２は近似関数式のウェハ表面上の投影像の位置の相対距離の変数に実測位置の相対距離の実測値を代入しウェハ３１の算出配置位置を算出する。算出配置位置は図９に示す焦点ズレ判断部３０３に伝達される。
【００４１】
（ｃ）図１１のステップＳ１６３で図９に示す焦点位置記憶部３１１に保存されている図１に示す縮小投影露光装置の光学系１４０の焦点位置と焦点深度が図９に示す焦点ズレ判断部３０３に入力され、焦点ズレ判断部３０３は図１１のステップＳ１６２で算出されたウェハ３１の算出配置位置と焦点位置の差から焦点ズレを算出する。算出された焦点ズレは焦点深度と比較され、例えば算出された焦点ズレが焦点深度内であると判断されれば図１に示す光学系１４０の補正は必要ないと判断し、算出された焦点ズレが焦点深度の範囲外であれば、算出された焦点ズレをうち消す方向にウェハステージ３２を移動させる必要があると判断する。
【００４２】
（ｄ）図１１のステップＳ１０３で図９の光学系補正情報提供手段３１５は図１１のステップＳ１６３で出された判断結果を出力装置３１３に伝達し、検査は終了する。
【００４３】
以上示したように、図２に示すレチクル５、図９に示す露光装置検査システム、図１０に示す露光装置検査方法を採用すれば、図１に示した縮小投影露光装置の光学系１４０の収差を検査することが可能となる。また図１１に示す露光装置検査方法を採用すれば、図１に示した縮小投影露光装置においてウェハ３１が焦点位置に正しく配置されているか検査することも可能となる。さらに焦点ズレが生じていた場合も、算出された焦点ズレをうち消す方向にウェハステージ３２を移動させればよく、短時間で光学系１４０を補正することが可能である。また、従来は検査パターンが設けられた検査用レチクルとデバイスパターンが設けられた製造用レチクルが別個であったため、検査用レチクルで光学系を補正した後、検査用レチクルを製造用レチクルに交換する必要があった。しかし、レチクル５は検査パターン２０ａ〜２０ｃ及びデバイスパターン１５ａ〜１５ｃそれぞれの両方を備えているので、光学系１４０を補正した後そのまま半導体集積回路製造工程に入ることが可能である。さらに半導体集積回路の製造中も光学系１４０に異常が生じていないかを継続的に検査することも可能とする。例えば半導体集積回路を数ロット生産する場合、図３に示した非対称回折格子２２ａ〜２２ｄ及び孤立遮光パターン６１ａ〜６１ｄそれぞれの図１に示すウェハ３１上の投影像の位置の相対距離を各ロット毎に観察し比較すれば、縮小投影露光装置で焦点ズレが生じていないかを継続的に検査することができる。また焦点ズレが許容範囲を超えた場合もウェハステージ３２を図１１に示した露光装置検査方法で算出された焦点ズレをうち消す方向に移動すれば、すぐさま半導体集積回路の製造を再開することが可能となる。よって、半導体集積回路製造工程において露光装置の光学系の焦点位置の調整にかかる時間を大幅に短縮することが可能となり、製造コストの低減を導くものとなる。
【００４４】
なお、図２に示すレチクル５の検査パターン２０ａ〜２０ｃそれぞれは図３に示したものに限定されず、例えば図１２や図１３に示すように非対称回折部１１３ａ，  １１３ｂ，  １１３ｃ，  ・・・・・、遮光帯１７０ａ，  １７０ｂ，  １７０ｃ，  ・・・・・それぞれを備える非対称回折格子１２２ａと非対称回折部２１３ａ，  ２１３ｂ，  ２１３ｃ，  ・・・・・、遮光帯２７０ａ，  ２７０ｂ，  ２７０ｃ，  ・・・・・それぞれを備える非対称回折格子１２２ｂを連続パターンが互いに反対方向となるように設けたものであってもよい。このような検査パターン２０ａ〜２０ｃそれぞれを備えるレチクル５を図１に示す縮小投影露光装置で露光すると、ウェハ３１が光軸方向に移動すれば非対称回折格子１２２ａ，  １２２ｂそれぞれの投影像の位置は互いにウェハ３１上を反対方向に移動するので、図３の配置に比べ２倍の感度でこの投影像の位置とウェハ３１の光軸方向配置位置の線形関係を観察することが可能となる。また図１４に示すように非対称回折格子１２２ａと孤立遮光パターン６２をそれぞれのパターンの長手方向が同じになるよう配置し、非対称回折格子１２２ａと孤立遮光パターン６２それぞれの投影像の位置の相対距離を測定してもよい。
【００４５】
次に図１５から図２２を用いて、図５に示した非対称回折格子２２ａと図６に示したデバイスパターン１５ａを同一マスク基板上に備えるレチクルを製造する方法について説明する。
【００４６】
（ａ）図１５に示すように、石英ガラス等のマスク基板１を用意する。そしてマスク基板１の表面を真空蒸着法等によりＣｒ等からなる遮光膜２７を堆積させる。さらに遮光膜２７上に第１のレジスト膜８をスピン塗布し、フォトリソグラフィー技術を用いて開口３５ａ，  ３５ｂ，  ３５ｃ，  ３５ｄ，  ３５ｅ及び開口４５ａ，  ４５ｂそれぞれを形成させる。
【００４７】
（ｂ）次に、開口３５ａ〜３５ｅ及び開口４５ａ，  ４５ｂそれぞれより表出する遮光膜２７の部分を第１のレジスト膜８をマスクにして異方性エッチングでマスク基板１が表出するまで選択的に除去する。その後第１のレジスト膜８を剥離剤等で除去し、図１６に示すように遮光マスク７ａ，  ７ｂ，  ７ｃ，  ７ｄ及び遮光帯７０ａ，  ７０ｂそれぞれをマスク基板１の表面に形成させる。
【００４８】
（ｃ）次に、マスク基板１表面に第２のレジスト膜１８をスピン塗布する。その後、フォトリソグラフィー技術により図１７に示すように開口３６ａ，  ３６ｂ及び開口４６ａ，  ４６ｂそれぞれを形成させる。開口３６ａ，  ３６ｂ及び開口４６ａ，  ４６ｂそれぞれより表出するマスク基板１の部分を第２のレジスト膜１８をマスクにして異方性エッチングで選択的に除去し、図１８に示すように非対称回折部１３１ａ，  １３１ｂ，  １３ａ，  １３ｂそれぞれを形成させる。なお非対称回折部１３１ａ，  １３１ｂ，  １３ａ，  １３ｂは、マスク基板１表面に対し、露光用レーザの透過光の位相差が９０度となる深さまで形成させる。
【００４９】
（ｄ）第２のレジスト膜１８を剥離剤等で図１９に示すように除去する。その後、マスク基板１表面に第３のレジスト膜２８をスピン塗布し、フォトリソグラフィー技術によって開口３７ａ，  ３７ｂそれぞれを図２０に示すように形成させる。
【００５０】
（ｅ）第３のレジスト膜２８をマスクにして開口３７ａ，  ３７ｂそれぞれより表出する非対称回折部１３１ａ，  １３１ｂからマスク基板１をさらに等方性エッチング法で選択的に除去し、回折部２３ａ，  ２３ｂそれぞれを形成させる。回折部２３ａ，  ２３ｂそれぞれはマスク基板１表面に対し、露光用レーザの透過光の位相差が１８０度となる深さまで形成させる。なおエッチング法は異方性エッチング法でもよいが、図２１に示すように等方性エッチングにより側壁方向にもエッチングした方がレチクル完成後の露光工程で被露光面の寸法精度が向上する。
【００５１】
（ｆ）最後に第３のレジスト膜２８を剥離剤等で除去し、図２２に示すようにマスク基板１上に遮光マスク７ａ〜７ｄ、回折部２３ａ，  ２３ｂそれぞれを備えるデバイスパターン１５ａと遮光帯７０ａ，  ７０ｂ、非対称回折部１３ａ，  １３ｂそれぞれを備える非対称回折格子２２ａの両方が形成され、実施の形態に係るレチクルが完成する。
【００５２】
従来においては、同一マスク基板上に位相の異なる非対称回折部と回折部の両方を設けるのは困難であり、非対称回折格子を備える検査用レチクルとデバイスパターンを備える製造用レチクルの２つのマスクを用意する必要があった。しかし上記製造方法においては、図１７から図１８に示した工程でマスク基板１表面に対し露光用レーザの透過光の位相差が９０度となる深さの非対称回折部１３１ａ，  １３１ｂ，  １３ａ，  １３ｂそれぞれを異方性エッチングにより形成させた後、異方性エッチングで損傷した第２のレジスト膜１８を図１９に示した工程で剥離させる。次に図２０に示すようにパターニングされた第３のレジスト膜２８を形成し、非対称回折部１３１ａ，  １３１ｂそれぞれをマスク基板１表面に対し露光用レーザの透過光の位相差が１８０度となる深さまでさらに等方性エッチングして回折部２３ａ，  ２３ｂそれぞれを形成させている。このような製造方法をとれば、デバイスパターンと非対称回折格子のように露光用レーザの透過光の位相差が異なる回折パターンの両方をマスク基板１上に高精度で形成させることが可能となる。また、遮光マスクの下部まで部分的にエッチングした回折部を有するレチクルで露光すると投影像のコントラストが向上するが、上記製造方法のように異方性エッチングで図１８に示したような非対称回折部１３１ａ，  １３１ｂそれぞれを形成させた後、図２１に示したように非対称回折部１３１ａ，  １３１ｂそれぞれからマスク基板１をさらに等方性エッチングすれば、図２２に示したように遮光マスク７ｂ〜７ｅそれぞれの下部まで部分的にエッチングした回折部２３ａ，  ２３ｂを高精度で形成させることも可能となる。
【００５３】
（実施の形態の変形例１）
図２３は実施の形態の変形例１に係るレチクルの非対称回折格子の断面図であり、図５に示した非対称回折部１３ａ，  １３ｂ，  １３ｃ，  ・・・・・それぞれと異なり、非対称回折部９３ａ，  ９３ｂ，  ９３ｃ，  ・・・・・及びＵ型の非対称回折部９４ａ，  ９４ｂ，  ９４ｃ，  ・・・・・それぞれが交互に設けられている。その他の構成要素の配置等は図５に示した非対称回折格子と同じであるので説明は省略する。
【００５４】
ここで非対称回折部９３ａ，  ９３ｂ，  ９３ｃ，  ・・・・・それぞれ及びＵ型の非対称回折部９４ａ，  ９４ｂ，  ９４ｃ，  ・・・・・それぞれはマスク基板１の表面近傍内部に設けられた溝であり、非対称回折部９３ａ，  ９３ｂ，  ９３ｃ，  ・・・・・それぞれはマスク基板１表面に対し露光用レーザの透過光の位相差が１０５度となる深さまで設けられ、Ｕ型の非対称回折部９４ａ，  ９４ｂ，  ９４ｃ，  ・・・・・それぞれは７５度となる深さまで設けられている。例えばマスク基板１が屈折率１．５６の石英ガラスであり、波長１９３ｎｍのＡｒＦエキシマレーザで露光する場合には非対称回折部９３ａ，  ９３ｂ，  ９３ｃ，  ・・・・・それぞれの深さは１００．５ｎｍであり、非対称回折部９４ａ，  ９４ｂ，  ９４ｃ，  ・・・・・それぞれの深さは７１．８ｎｍである。図１に示す縮小投影露光装置に図２３に示した非対称回折格子を備えるレチクル５を配置し露光した場合も、ウェハ３１の光軸方向配置位置と非対称回折格子の投影像の位置は線形関係を有するので、図９に示した露光装置検査システム及び図１０及び図１１に示した露光装置検査方法を利用して図１に示す光学系１４０を検査することが可能となる。
【００５５】
次に図２４から図２８を用いて、図２３に示した非対称回折格子を備えるレチクルの製造方法について説明する。
【００５６】
（ａ）図１５及び図１６の説明に記載した製造方法により石英ガラス等からなるマスク基板１の表面にＣｒ等からなる遮光マスク７ａ〜７ｄ及び遮光帯７０ａ，  ７０ｂを形成し、さらに開口３６ａ，  ３６ｂ，  ３８それぞれを有する第２のレジスト膜１８を図２４に示すようにマスク基板１表面に形成させる。
【００５７】
（ｂ）開口３６ａ，  ３６ｂ，  ３８それぞれより表出するマスク基板１を異方性エッチングにより選択的に除去し、図２５に示すように非対称回折部２３１ａ，  ２３１ｂ，  ９３それぞれを形成させる。非対称回折部２３１ａ，  ２３１ｂ，  ９３それぞれは、マスク基板１表面に対して露光用レーザの透過光の位相差が１０５度となる深さまで形成させる。
【００５８】
（ｃ）図２６に示すように第２のレジスト膜１８を剥離剤等で除去した後、第３のレジスト膜２８をマスク基板１上にスピン塗布し、フォトリソグラフィー技術により図２７に示すように開口６３ａ，  ６３ｂ，  ６４それぞれを形成させる。
【００５９】
（ｄ）開口６３ａ，  ６３ｂ，  ６４それぞれより表出するマスク基板１を等方性エッチングにより選択的除去し、図２８に示すように回折部２３ａ，  ２３ｂ及び非対称回折部９４それぞれを形成させる。回折部２３ａ，  ２３ｂそれぞれは、マスク基板１表面に対して露光用レーザの透過光の位相差が１８０度となる深さまで形成させ、非対称回折部９４は位相差が７５度となる深さまで形成させる。
【００６０】
（ｅ）最後に第３のレジスト膜２８を剥離剤等で除去し、図２９に示すように、マスク基板１上に遮光マスク７ａ〜７ｄ及び回折部２３ａ，  ２３ｂそれぞれを備えるデバイスパターンと遮光帯７０ａ，  ７０ｂ及び非対称回折部９３，  ９４それぞれを備える非対称回折格子の両方を備えるレチクルが完成する。
【００６１】
（実施の形態の変形例２）
図３０は本発明の実施の形態の変形例２に係るレチクルの非対称回折格子の断面図であり、図５に示した非対称回折部１３ａ，  １３ｂ，  １３ｃ，  ・・・・・それぞれと異なり、階段状の底部を備える階段状回折部８６ａ，  ８６ｂ，  ８６ｃ，  ・・・・・それぞれが設けられている。その他の構成要素の配置等は図５に示した非対称回折格子と同じであるので説明は省略する。
【００６２】
ここで階段状回折部８６ａの階段状の底部は、位相差光透過面１００ａ、位相差光透過面１０１ａ及び等位相光透過面１０２ａそれぞれを備えており、位相差光透過面１００ａはマスク基板１表面に対して露光用レーザの透過光の位相差が６０度となる位置に配置され、位相差光透過面１０１ａは１２０度となる位置に配置され、等位相光透過面１０２ａは１８０度となる位置に配置される。よって、マスク基板１が屈折率１．５６の石英ガラスであり、波長１９３ｎｍのＡｒＦエキシマレーザ露光する場合には位相差光透過面１００ａはマスク基板１の表面から５７．４ｎｍ、位相差光透過面１０１ａは１１４．９ｎｍ、等位相光透過面１０２ａは１７２．３ｎｍの位置にそれぞれ配置されている。他の階段状回折部８６ｂ，  ８６ｃ，  ・・・・・それぞれも同様の配置で位相差光透過面１００ｂ，  １００ｃ，  ・・・・・、位相差光透過面１０１ｂ，  １０１ｃ，  ・・・・・及び等位相光透過面１０２ｂ，  １０２ｃ，  ・・・・・それぞれを有している。
【００６３】
図１に示す縮小投影露光装置に図３０に示した非対称回折格子を備えるレチクル５を配置し露光した場合も、ウェハ３１の光軸方向配置位置と非対称回折格子の投影像の位置は線形関係を有するので、図９に示した露光装置検査システム及び図１０及び図１１に示した露光装置検査方法を利用して図１に示す光学系１４０を検査することが可能となる。
【００６４】
次に図３１から図３５を用いて、図３０に示した非対称回折格子を備えるレチクルの製造方法について説明する。
【００６５】
（ａ）図１５から図１７の説明に記載の製造方法により、図３１に示すように、マスク基板１の表面に遮光マスク７ａ〜７ｄ、遮光帯７０ａ，  ７０ｂ、開口３６ａ，  ３６ｂ，  ５８ａ，  ５８ｂそれぞれを備える第２のレジスト膜１８それぞれを形成させる。
【００６６】
（ｂ）開口３６ａ，  ３６ｂ，  ５８ａ，  ５８ｂそれぞれより表出するマスク基板１を異方性エッチングにより選択的に除去し、図３２に示すように非対称回折部２９ａ，  ２９ｂ，  ３０ａ，  ３０ｂそれぞれを形成させる。非対称回折部２９ａ，  ２９ｂ，  ３０ａ，  ３０ｂそれぞれは、マスク基板１表面に対し、露光用レーザの透過光が１２０度の位相差を持つ深さまで形成させる。
【００６７】
（ｃ）図３３に示すように第２のレジスト膜１８を剥離剤等で除去した後、第３のレジスト膜４８をマスク基板１上にスピン塗布し、フォトリソグラフィー技術により図３４に示すように開口９７ａ，  ９７ｂ，  ９８ａ，  ９８ｂ，  ９９ａ，  ９９ｂそれぞれを形成させる。
【００６８】
（ｄ）最後に開口９７ａ，  ９７ｂ，  ９８ａ，  ９８ｂ，  ９９ａ，  ９９ｂそれぞれより表出するマスク基板１を等方性エッチングにより選択的に除去した後、第３のレジスト膜４８を剥離剤等で除去し、図３５に示すように遮光マスク７ａ〜７ｄ及び回折部２３ａ，  ２３ｂそれぞれを備えるデバイスパターンと、遮光帯７０ａ，  ７０ｂ及び階段状回折部８６ａ，  ８６ｂそれぞれを備える非対称回折格子の両方をマスク基板１上に備えるレチクルが完成する。
【００６９】
（実施の形態の変形例３）
実施の形態の変形例３に係る縮小投影露光装置は図３６に示すように、図１に示した縮小投影露光装置の構成要素に加えて、検査用レーザ発振器６５ａ、検査用レーザ発振器６５ａから発せられたレーザをレチクル５の検査パターン２０ａ及びアライメントマーク２６ａに導く反射鏡６８ａ、レチクル５の下部に配置されたビームスプリッタ６７ａ、ビームスプリッタ６７ａで分割されたレーザを受光するＴＴＬセンサ６６ａを有する検査用光学系を備える。
【００７０】
図３６において検査用レーザ発振器６５ａから発せられるレーザはウェハ３１に塗布されたレジストの感度外の波長を有しており、反射鏡６８ａでレチクル５の検査パターン２０ａ及びアライメントマーク２６ａに導かれ、検査パターン２０ａ及びアライメントマーク２６ａを透過したレーザはビームスプリッタ６７ａ及び投影光学系４２を経てウェハ３１表面に照射される。ウェハ３１表面の検査パターン２０ａ及びアライメントマーク２６ａの投影像は投影光学系４２、ビームスプリッタ６７ａを経てＴＴＬセンサ６６ａで感知される。
【００７１】
検査用パターン２０ｂ及びアライメントマーク２６ｂそれぞれに対しても同様に検査用レーザ発振器６５ｂ、反射鏡６８ｂ、ビームスプリッタ６７ｂ、ＴＴＬセンサ６６ｂを備える検査用光学系が配置されている。また検査用パターン２０ｃ及びアライメントマーク２６ｃそれぞれに対しても同様に検査用レーザ発振器６５ｃ、反射鏡６８ｃ、ビームスプリッタ６７ｃ、ＴＴＬセンサ６６ｃを備える検査用光学系が配置されている。図３６に示した縮小投影露光装置のその他の構成要素の配置等は図１と同様であるので説明は省略する。
【００７２】
このように、レチクル５と検査用光学系を用いれば、ウェハ３１表面の検査パターン２０ａ，  ２０ｂ，  ２０ｃそれぞれの投影像を観察するために露光後ウェハ３１を現像する必要がなく、ウェハ３１を縮小投影露光装置に配置したまま検査パターン２０ａ，  ２０ｂ，  ２０ｃそれぞれの投影像を観察することが可能となる。よって、図９に示した露光装置検査システム、図１０及び図１１に示した露光装置検査方法を利用して、図３６に示す縮小投影露光装置の光学系１４０の検査及び補正をウェハ３１を交換することなく行うことを可能とする。また、アライメントマーク２６ａ，  ２６ｂ，  ２６ｃそれぞれが検査パターン２０ａ，  ２０ｂ，  ２０ｃそれぞれに隣接して設けられていることから、ウェハ３１の水平方向の位置合わせも同時に行うことが可能となる。
【００７３】
（実施の形態の変形例４）
実施の形態の変形例４に係るレチクルの非対称回折格子の平面図が図３７であり、図３７に示したＡ−Ａ方向から見た断面図が図３８である。図３７及び図３８に示すように、実施の形態の変形例４に係る非対称回折格子は、マスク基板１に設けられた非対称回折部８３ａ，  ８３ｂ，  ８３ｃ，  ・・・・・、マスク基板１上に非対称回折部８３ａ，  ８３ｂ，  ８３ｃ，  ・・・・・それぞれを挟むように配置された遮光帯７１ａ，  ７１ｂ，  ７１ｃ，  ７１ｄ，  ７１ｅ，  ７１ｆ，  ・・・・・それぞれを備える。
【００７４】
ここで非対称回折部８３ａ，  ８３ｂ，  ８３ｃ，  ・・・・・それぞれはマスク基板１の表面近傍内部に設けられた溝であり、マスク基板１表面に対し露光用レーザの透過光の位相差が０度より大かつ１８０度未満の値の整数倍となる深さまで設けられており、例えば位相差が９０度となる深さまで設けられている。このような非対称回折格子を備える実施の形態の変形例４に係るレチクルの構成は図２に示したレチクル５と同様であるので説明は省略する。
【００７５】
図１に示した縮小投影露光装置に図３７及び図３８に示した非対称回折格子を備えるレチクル５を配置し、レジスト膜を塗布されたシリコン基板等からなるウェハ３１上に波長１９３ｎｍのＡｒＦエキシマレーザで露光した後、ウェハ３１を現像処理した場合の非対称回折格子の投影像は、図３９に示すように、図３７及び図３８に示した遮光帯７１ａ，  ７１ｂ，  ７１ｃ，  ７１ｄ，  ７１ｅ，  ７１ｆ  ・・・・・それぞれの投影像である遮光帯投影像１０４ａ，  １０４ｂ，  １０４ｃ，  １０４ｄ，  １０４ｅ，  １０４ｆ  ・・・・・、遮光帯投影像１０４ａ，  １０４ｂ，  １０４ｃ，  １０４ｄ，  １０４ｅ，  １０４ｆ  ・・・・・それぞれを挟むように配置されたマスク基板１表面の投影像である基板表面投影像９５ａ，  ９５ｂ，  ９５ｃ，  ・・・・・及び非対称回折部８３ａ，  ８３ｂ，  ８３ｃ，  ・・・・・それぞれの投影像である非対称回折部投影像９６ａ，  ９６ｂ，  ９６ｃ，  ・・・・・を備える。
【００７６】
ここで、図３９に示した投影像をＳＥＭやＡＦＭ等で観察して得られた遮光帯投影像１０４ａ，  １０４ｂ，  １０４ｃ，  １０４ｄ，  １０４ｅ，  １０４ｆ  ・・・・・それぞれの線幅をＬ、基板表面投影像９５ａ，  ９５ｂ，  ９５ｃ，  ・・・・・それぞれの線幅をＳ１、非対称回折部投影像９６ａ，  ９６ｂ，  ９６ｃ，  ・・・・・それぞれの線幅をＳ２とする。この場合、露光量Ａ、露光量Ａの１．５倍の強度である露光量Ｂの２つの条件の露光量で図１に示した縮小投影露光装置のウェハステージ３２を光軸方向に移動させてＬ＋Ｓ２の長さを測定しプロットしたのが図４０であり、Ｌのみの長さをプロットしたのが図４１である。図４０に示すようにＬ＋Ｓ２の長さの変化量は縮小投影露光装置に配置されたウェハ３１の光軸方向への移動量とほぼ線形関係にあり、また露光量を露光量Ａから１．５倍の強さである露光量Ｂに変化させてもウェハ３１表面位置に対するＬ＋Ｓ２の長さの値はほとんど変化しない。一方図４１に示すように、Ｌのみの長さはウェハ３１を焦点位置から−２００ｎｍから＋２００ｎｍまで一定の露光量条件で光軸方向に移動させてもあまり変化しないが、ウェハ３１の位置を一定して露光量を変化させるとＬの長さも変化することを示している。
【００７７】
以上示したように、図１に示した縮小投影露光装置に図３７及び図３８に示した非対称回折格子を備えるレチクル５を配置しウェハ３１に露光すれば、ウェハ３１表面の投影像を観察することにより露光量に依存することなくウェハ３１がどれだけ焦点位置から光軸方向へずれて配置されているかを算出することが可能となり、さらに縮小投影露光装置において露光量に変化が生じた場合にも、これを検知することが可能となる。
【００７８】
次に実施の形態の変形例４に係る露光装置検査システムを図４２に示す。ＣＰＵ４００が図９に示した露光装置検査システムのＣＰＵ３００と異なるのは投影像情報抽出手段４２５が露光量情報抽出部３１４を更に備えており、光学系補正情報算出手段４１５が線幅変化判断部３０５を更に備えている点である。また光学系情報記憶装置４３５が線幅記憶部３２１を更に備えている。その他の構成要素は図９に示した露光装置検査システムと同じであるので説明は省略する。
【００７９】
ここで露光量情報抽出部３１４は図３９に示したような投影像の画像情報から遮光帯投影像１０４ａ，  １０４ｂ，  １０４ｃ，  １０４ｄ，  １０４ｅ，  １０４ｆ  ・・・・・それぞれの最適露光量条件での線幅ＬをＬの線幅最適値として抽出する。図４２に示す線幅記憶部３２１は露光量抽出部３１４で抽出されたＬの線幅最適値を保存する。線幅変化判断部３０５はこの線幅最適値と入力装置３１２から入力される検査対象のウェハで計測されたＬの線幅実測値を比較し、図１に示した縮小投影露光装置において露光量に変化が生じているかどうかを判断する。
【００８０】
図１に示す縮小投影露光装置に図３７及び図３８に示したような非対称回折格子を備えるレチクル５を配置し、図４２に示した露光装置検査システムを利用すれば、図１に示した縮小投影露光装置の光学系１４０の収差や焦点ズレについて検査できるほか、露光量変化についても検査することが可能となる。
【００８１】
次に図１、図３９、図４２、図４３を用いて図１に示す露光装置の光学系１４０の露光量変化を検査するための露光装置検査方法について説明する。
【００８２】
（ａ）まず、図４３のステップＳ１０１において図１に示す縮小投影露光装置でレチクル５の検査パターン２０ａ〜２０ｃをウェハ３１に最適露光量で露光する。ウェハ３１を露光現像後、ＳＥＭやＡＦＭ等で観察された図３９に示したようなウェハ３１上の投影像の画像情報を図４２に示した入力装置３１２から投影像情報抽出手段４２５に入力する。
【００８３】
（ｂ）図４３のステップＳ１５２で図４２に示す投影像情報抽出手段４２５の露光量情報抽出部３１４は画像情報から図３９に示した遮光帯投影像１０４ａ，  １０４ｂ，  １０４ｃ，  １０４ｄ，  １０４ｅ，  １０４ｆ  ・・・・・それぞれの線幅を線幅最適値として抽出する。
【００８４】
（ｃ）図４３のステップＳ１０２で図４２に示した線幅記憶部３２１にステップＳ１５２で抽出された線幅最適値がウェハ３１の光軸方向配置位置の情報と共に保存される。
【００８５】
（ｄ）ステップＳ１７０で図１に示す縮小投影露光装置で半導体集積回路の製造を開始する。
【００８６】
（ｅ）ステップＳ１７０で半導体集積回路を数ロット製造した後、図４２に示した線幅記憶部３２１に保存されていた線幅最適値と入力装置３１２より入力される線幅実測値が線幅変化判断部３０５に図４３のステップＳ１６４で格納される。図４２に示す線幅変化判断部３０５は線幅最適値と線幅実測値を比較し、その差から線幅変化を算出する。
【００８７】
（ｆ）ステップＳ１０３で光学系補正情報提供手段３１５は算出された線幅変化を出力装置３１３に伝達し、検査は終了する。
【００８８】
以上示したように、図３７及び図３８に示すような非対称回折格子を備えるレチクル５を図１に示す縮小投影露光装置に配置して露光し、図４３に示した露光装置検査方法に従って図４２に示す露光装置検査システムを利用すれば、半導体集積回路の製造工程において図１に示す縮小投影露光装置の露光量に変化が生じていないか検査することが可能となる。例えば１ロットの半導体集積回路の製造の最初と最後で図３９に示したような非対称回折格子の投影像をＳＥＭ観察し、遮光帯投影像１０４ａ，  １０４ｂ，  １０４ｃ，  １０４ｄ，  １０４ｅ，  １０４ｆ  ・・・・・それぞれの線幅Ｌが増加していれば、図１に示す縮小投影露光装置において露光量が減少していると検知できる。よって、縮小投影露光装置の露光量に絞って対策をとることが可能となり、品質基準を保つための保守点検時間の短縮が可能となる。しかも、図３７及び図３８に示した実施の形態の変形例４に係る非対称回折格子は、図２に示したように同一マスク基板上にデバイスパターンと検査パターンの両方が設けられていることから、従来のように保守点検用に製造用レチクルから検査用レチクルに交換する必要がない。そのため、歩留まりの悪化等が確認されればそのまま露光現像後のウェハ３１を図１０、図１１、図４３に示した方法に従って検査し、図１に示す縮小投影露光装置の光学系１４０に収差が生じているのか、ウェハ３１が焦点位置から外れて配置されているのか、光学系１４０の露光量が減少しているのか、それぞれ明らかにすることを可能とする。なお図３９に示した検査パターンの投影像観察を光学的な観察方法によらず、ＳＥＭやＡＦＭを用いた観察に限定すれば、図３７及び図３８に示したレチクル上の検査パターンの領域を小さくすることも可能となる。
【００８９】
（その他の実施の形態）
上記のように、本発明の実施の形態を記載したが、この開示の一部をなす論述及び図面はこの発明を限定するものであると理解すべきではない。この開示から当業者には様々な代替実施の形態、実施例及び運用技術が明らかとなろう。例えば、実施の形態の変形例４において、図３９に示した基板表面投影像９５ａ，  ９５ｂ，  ９５ｃ，  ・・・・・の線幅Ｓ１と非対称回折部投影像９６ａ，  ９６ｂ，  ９６ｃ，  ・・・・・の線幅Ｓ２の寸法差によっても被露光体が焦点位置に配置されているかを検査することが可能である。このように、本発明はここでは記載していない様々な実施の形態等を含むことは勿論である。したがって、本発明の技術的範囲は上記の説明からは妥当な特許請求の範囲に係る発明特定事項によってのみ定められるものである。
【００９０】
【発明の効果】
本発明によれば、半導体装置製造工程において検査用レチクルと製造用レチクルの両方を準備する必要がなく、半導体集積回路製造用の露光と同時に精度よく露光装置の光学系を検査することが可能となり、かつ光学系の補正に要する時間を大幅に短縮することを可能とするレチクル、露光装置検査システム、露光装置検査方法及びレチクルの製造方法を提供することができる。
【図面の簡単な説明】
【図１】本発明の実施の形態に係る縮小投影露光装置を示す模式図である。
【図２】本発明の実施の形態に係るレチクルの平面図である。
【図３】本発明の実施の形態に係るレチクルの検査パターンの平面図である。
【図４】本発明の実施の形態に係る検査パターンの非対称回折格子の平面図である。
【図５】本発明の実施の形態に係る検査パターンの非対称回折格子の断面図である。
【図６】本発明の実施の形態に係るレチクルのデバイスパターンの断面図である。
【図７】本発明の実施の形態に係る非対称回折格子の瞳面での光強度分布を示す図である。
【図８】本発明の実施の形態に係る非対称回折格子の投影像の被露光面での性質を示す図である。
【図９】本発明の実施の形態に係る露光装置検査システムを示すブロック図である。
【図１０】本発明の実施の形態に係る露光装置検査方法を示すフローチャート図である（その１）。
【図１１】本発明の実施の形態に係る露光装置検査方法を示すフローチャート図である（その２）。
【図１２】本発明の実施の形態に係る検査パターンの変形例の平面図である（その１）。
【図１３】本発明の実施の形態に係る検査パターンの変形例の平面図である（その２）。
【図１４】本発明の実施の形態に係る検査パターンの変形例の平面図である（その３）。
【図１５】本発明の実施の形態に係るレチクルの製造方法を説明する工程断面図である（その１）。
【図１６】本発明の実施の形態に係るレチクルの製造方法を説明する工程断面図である（その２）。
【図１７】本発明の実施の形態に係るレチクルの製造方法を説明する工程断面図である（その３）。
【図１８】本発明の実施の形態に係るレチクルの製造方法を説明する工程断面図である（その４）。
【図１９】本発明の実施の形態に係るレチクルの製造方法を説明する工程断面図である（その５）。
【図２０】本発明の実施の形態に係るレチクルの製造方法を説明する工程断面図である（その６）。
【図２１】本発明の実施の形態に係るレチクルの製造方法を説明する工程断面図である（その７）。
【図２２】本発明の実施の形態に係るレチクルの製造方法を説明する工程断面図である（その８）。
【図２３】本発明の実施の形態の変形例１に係るレチクルの断面図である。
【図２４】本発明の実施の形態の変形例１に係るレチクルの製造方法を説明する工程断面図である（その１）。
【図２５】本発明の実施の形態の変形例１に係るレチクルの製造方法を説明する工程断面図である（その２）。
【図２６】本発明の実施の形態の変形例１に係るレチクルの製造方法を説明する工程断面図である（その３）。
【図２７】本発明の実施の形態の変形例１に係るレチクルの製造方法を説明する工程断面図である（その４）。
【図２８】本発明の実施の形態の変形例１に係るレチクルの製造方法を説明する工程断面図である（その５）。
【図２９】本発明の実施の形態の変形例１に係るレチクルの製造方法を説明する工程断面図である（その６）。
【図３０】本発明の実施の形態の変形例２に係るレチクルの断面図である。
【図３１】本発明の実施の形態の変形例２に係るレチクルの製造方法を説明する工程断面図である（その１）。
【図３２】本発明の実施の形態の変形例２に係るレチクルの製造方法を説明する工程断面図である（その２）。
【図３３】本発明の実施の形態の変形例２に係るレチクルの製造方法を説明する工程断面図である（その３）。
【図３４】本発明の実施の形態の変形例２に係るレチクルの製造方法を説明する断面図である（その４）。
【図３５】本発明の実施の形態の変形例２に係るレチクルの製造方法を説明する工程断面図である（その５）。
【図３６】本発明の実施の形態の変形例３に係る縮小投影露光装置を示す模式図である。
【図３７】本発明の実施の形態の変形例４に係る検査パターンの非対称回折格子の平面図である。
【図３８】本発明の実施の形態の変形例４に係る検査パターンの非対称回折格子の断面図である。
【図３９】本発明の実施の形態の変形例４に係る非対称回折格子の投影像の平面図である。
【図４０】本発明の実施の形態の変形例４に係る非対称回折格子の投影像の被露光面での性質を示す図である（その１）。
【図４１】本発明の実施の形態の変形例４に係る非対称回折格子の投影像の被露光面での性質を示す図である（その２）。
【図４２】本発明の実施の形態の変形例４に係る露光装置検査システムを示すブロック図である。
【図４３】本発明の実施の形態の変形例４に係る露光装置検査方法を示すフローチャート図である。
【符号の説明】
１…マスク基板
３…ウェハ
５…レチクル
７ａ，  ７ｂ，  ７ｃ，  ７ｄ，  ７ｅ，  ７ｆ，  ・・・・・  …遮光マスク
８，  １８，  ２８，  ４８…レジスト膜
１３ａ，  １３ｂ，  １３ｃ，  ・・・・・，  ２９ａ，  ２９ｂ，  ３０ａ，  ３０ｂ，  ８３ａ，  ８３ｂ，  ８３ｃ，  ・・・・・，  ９３，  ９３ａ，  ９３ｂ，  ９３ｃ，  ・・・・・，  ９４，  ９４ａ，  ９４ｂ，  ９４ｃ，  ・・・・・，  １１３ａ，  １１３ｂ，  １１３ｃ，  ・・・・・，  １３１ａ，  １３１ｂ，  ２１３ａ，  ２１３ｂ，  ２１３ｃ，  ・・・・・，  ２３１ａ，  ２３１ｂ  …非対称回折部
１５，  １５ａ，  １５ｂ，  １５ｃ…デバイスパターン
１７，  ２７…遮光膜
２０ａ，  ２０ｂ，  ２０ｃ…検査パターン
２２ａ，  ２２ｂ，  ２２ｃ，  ２２ｄ，  １２２ａ，  １２２ｂ，  ２２２ａ，  ２２２ｂ，  ２２２ｃ…非対称回折格子
２３ａ，  ２３ｂ，  ２３ｃ，  ・・・・・  …回折部
２６ａ，  ２６ｂ，  ２６ｃ…アライメントマーク
３１…ウェハ
３２…ウェハステージ
３５ａ，  ３５ｂ，  ３５ｃ，  ３５ｄ，  ，３５ｅ，  ３６ａ，  ３６ｂ，  ３７ａ，  ３７ｂ，  ３８，  ４５ａ，  ４５ｂ，  ４６ａ，  ４６ｂ，  ５６ａ，  ５６ｂ，  ５６ｃ，  ５７，  ５８ａ，  ５８ｂ，  ６３ａ，  ６３ｂ，  ６４，  ９７ａ，  ９７ｂ，  ９８ａ，  ９８ｂ，  ９９ａ，  ９９ｂ…開口
４１…照明光源
４２…投影光学系
４３…集光レンズ
６１ａ，  ６１ｂ，  ６１ｃ，  ６１ｄ，  ６２…孤立遮光パターン
６５ａ，  ６５ｂ，  ６５ｃ…検査用レーザ発振器
６６ａ，  ６６ｂ，  ６６ｃ…ＴＴＬセンサ
６７ａ，  ６７ｂ，  ６７ｃ…ビームスプリッタ
６８ａ，  ６８ｂ，  ６８ｃ…反射鏡
７０ａ，  ７０ｂ，  ７０ｃ，  ・・・・・，  ７１ａ，  ７１ｂ，  ７１ｃ，  ７１ｄ，  ７１ｅ，  ・・・・・，  １７０ａ，  １７０ｂ，  １７０ｃ，  ・・・・・，  ２７０ａ，  ２７０ｂ，  ２７０ｃ，  ・・・・・  …遮光帯
８６ａ，  ８６ｂ，  ８６ｃ，  ・・・・・  …階段状回折部
１０４ａ，  １０４ｂ，  １０４ｃ，  １０４ｄ，  １０４ｅ，  １０４ｆ，  ・・・・・  …遮光帯投影像
９５ａ，  ９５ｂ，  ９５ｃ，  ・・・・・  …基板表面投影像
９６ａ，  ９６ｂ，  ９６ｃ，  ・・・・・  …非対称回折部投影像
１００ａ，  １００ｂ，  １００ｃ，  ・・・・・，  １０１ａ，  １０１ｂ，  １０１ｃ，  ・・・・・  …位相差光透過面
１０２ａ，  １０２ｂ，  １０２ｃ，  ・・・・・  …等位相光透過面
１４０  …光学系
３００，  ４００…ＣＰＵ
３０１…近似関数式算出部
３０２…焦点ズレ算出部
３０３…焦点ズレ判断部
３０５…線幅変化判断部
３１０…近似関数式記憶部
３１１…焦点位置記憶部
３１２…入力装置
３１３…出力装置
３１４…露光量情報抽出部
３２１…線幅記憶部
３２３…収差算出部
３１５，  ４１５…光学系補正情報提供手段
３２５，  ４２５…投影像情報抽出手段
３３５，  ４３５…光学系情報記憶装置
３３０…プログラム記憶装置
３３１…データ記憶装置
【図１】
2005037598.tif 000005
【図２】
2005037598.tif 000006
【図３】
2005037598.tif 000007
【図４】
2005037598.tif 000008
【図５】
2005037598.tif 000009
【図６】
2005037598.tif 000010
【図７】
2005037598.tif 000011
【図８】
2005037598.tif 000012
【図９】
2005037598.tif 000013
【図１０】
2005037598.tif 000014
【図１１】
2005037598.tif 000015
【図１２】
2005037598.tif 000016
【図１３】
2005037598.tif 000017
【図１４】
2005037598.tif 000018
【図１５】
2005037598.tif 000019
【図１６】
2005037598.tif 000020
【図１７】
2005037598.tif 000021
【図１８】
2005037598.tif 000022
【図１９】
2005037598.tif 000023
【図２０】
2005037598.tif 000024
【図２１】
2005037598.tif 000025
【図２２】
2005037598.tif 000026
【図２３】
2005037598.tif 000027
【図２４】
2005037598.tif 000028
【図２５】
2005037598.tif 000029
【図２６】
2005037598.tif 000030
【図２７】
2005037598.tif 000031
【図２８】
2005037598.tif 000032
【図２９】
2005037598.tif 000033
【図３０】
2005037598.tif 000034
【図３１】
2005037598.tif 000035
【図３２】
2005037598.tif 000036
【図３３】
2005037598.tif 000037
【図３４】
2005037598.tif 000038
【図３５】
2005037598.tif 000039
【図３６】
2005037598.tif 000040
【図３７】
2005037598.tif 000041
【図３８】
2005037598.tif 000042
【図３９】
2005037598.tif 000043
【図４０】
2005037598.tif 000044
【図４１】
2005037598.tif 000045
【図４２】
2005037598.tif 000046
【図４３】
2005037598.tif 000047